(57)【要約】【課題】台紙に設けられる起立させる部分を簡単かつ安定して起立させておくことが可能なペーパークラフト付き印刷物を提供する。【解決手段】ペーパークラフトとそれを飾る台紙とが一体になったペーパークラフトシート１である。  そして、列車模型３１及び台紙となる印刷が施された紙本体２と、紙本体の一部の領域に切り離し可能にペーパークラフトの型紙が形成されたペーパークラフト領域３と、ペーパークラフト領域を除く紙本体に形成される台紙領域４と、台紙領域の一部に形成された起立用折目４２１によって切り離されることなく起立可能となる起立部４２と、粘着層５２１が形成されて剥離可能に重ねられた粘着領域５とを備えている。  この粘着領域には、起立部の背面側に粘着層を貼り付けた際に下部が接地可能となる支持材部５１が切り離し可能に設けられている。【選択図】図３
2016209559.tif 000002
【特許請求の範囲】
【請求項１】
ペーパークラフトと取り外した前記ペーパークラフトを飾る台紙とが一体になったペーパークラフト付き印刷物であって、
少なくとも前記ペーパークラフト及び前記台紙となる印刷が施された紙本体と、
前記紙本体の一部の領域に切り離し可能に前記ペーパークラフトの型紙が形成されたペーパークラフト領域と、
前記ペーパークラフト領域を除く前記紙本体に形成された台紙領域と、
前記台紙領域の一部に形成された起立用折目によって切り離されることなく起立可能となる起立部と、
前記紙本体の一部に粘着層が形成されて剥離可能に重ねられた粘着領域とを備え、
前記粘着領域には、前記起立部の背面側に前記粘着層を貼り付けた際に下部が接地可能となる支持材部が切り離し可能に設けられていることを特徴とするペーパークラフト付き印刷物。
【請求項２】
前記支持材部には、前記粘着層を壁状に立てるための支持材用折目が形成されていることを特徴とする請求項１に記載のペーパークラフト付き印刷物。
【請求項３】
前記支持材部には、水平面となる接地部と、前記接地部に対して垂直となる壁部とが設けられており、前記起立部の背面側に貼り付けられる粘着層は、前記壁部の前記接地部に対して外角側となる裏面に設けられていることを特徴とする請求項１に記載のペーパークラフト付き印刷物。
【請求項４】
前記起立部には、複数の起立用折目が設けられることを特徴とする請求項１乃至３のいずれか一項に記載のペーパークラフト付き印刷物。
【請求項５】
前記支持材部には、前記台紙領域の平面部の下に配置させる接地片部と、前記接地片部に対して垂直となる側壁部と、前記側壁部の側縁から前記起立部の背面側に延出される粘着片部とが設けられており、前記起立部の背面側に貼り付けられる粘着層は前記粘着片部に設けられていることを特徴とする請求項１に記載のペーパークラフト付き印刷物。
【請求項６】
前記粘着領域には、前記支持材部に隣接してシール部が設けられることを特徴とする請求項１乃至５のいずれか一項に記載のペーパークラフト付き印刷物。
【請求項７】
ペーパークラフトと取り外した前記ペーパークラフトを飾る台紙とが一体になったペーパークラフト付き印刷物であって、
少なくとも前記ペーパークラフト及び前記台紙となる印刷が施された紙本体と、
前記紙本体の一部の領域に切り離し可能に前記ペーパークラフトの型紙が形成されるペーパークラフト領域と、
前記ペーパークラフト領域を除く前記紙本体に形成される台紙領域と、
前記台紙領域の一部に形成される起立用折目によって切り離されることなく起立可能となる起立部と、
前記台紙領域の一部に切り離されることなく起立可能に形成されるとともに前記起立部に接続可能な起立保持部とを備えたことを特徴とするペーパークラフト付き印刷物。
【発明の詳細な説明】
【技術分野】
【０００１】
本発明は、広告や宣伝のために配布されるチラシ、紙製玩具、子供向け教材、又は雑誌や本の綴込みなどに使用されるペーパークラフト付き印刷物に関するものである。
【背景技術】
【０００２】
特許文献１に示すように、ペーパークラフトの型紙と、立体的に組み立てられたペーパークラフトを飾る台紙とが一枚のシートになったペーパージオラマ模型セットが知られている。
【０００３】
また、特許文献２には、立体的なペーパークラフトが、取り外し可能に絵本に格納されており、絵本の各ページに印刷された絵図などを台紙にしてペーパークラフトを飾ることができる構成が開示されている。
【０００４】
一方、特許文献３には、二枚の紙片を重ねて製作される組立て玩具用ペーパークラフトにおいて、ペーパークラフトの糊代部に、予め糊が塗布されている構成が開示されている。
【先行技術文献】
【特許文献】
【０００５】
【特許文献１】特許第５４１７１４８号公報
【特許文献２】特開２０１１−１９４００６号公報
【特許文献３】実用新案登録第３０４８７６３号公報
【発明の概要】
【発明が解決しようとする課題】
【０００６】
しかしながら特許文献１の図５に開示されているように、台紙の一部を起立させて背景とする場合に、谷折りに折り曲げただけでは起立部を安定させることが難しく、時間の経過とともに傾いたり倒れたりするおそれがある。
【０００７】
そこで、本発明は、台紙に設けられる起立させる部分を簡単かつ安定して起立させておくことが可能なペーパークラフト付き印刷物を提供することを目的としている。
【課題を解決するための手段】
【０００８】
前記目的を達成するために、本発明のペーパークラフト付き印刷物は、ペーパークラフトと取り外した前記ペーパークラフトを飾る台紙とが一体になったペーパークラフト付き印刷物であって、少なくとも前記ペーパークラフト及び前記台紙となる印刷が施された紙本体と、前記紙本体の一部の領域に切り離し可能に前記ペーパークラフトの型紙が形成されるペーパークラフト領域と、前記ペーパークラフト領域を除く前記紙本体に形成される台紙領域と、前記台紙領域の一部に形成される起立用折目によって切り離されることなく起立可能となる起立部と、前記紙本体の一部に粘着層が形成されて剥離可能に重ねられる粘着領域とを備え、前記粘着領域には、前記起立部の背面側に前記粘着層を貼り付けた際に下部が接地可能となる支持材部が切り離し可能に設けられることを特徴とする。
【０００９】
ここで、前記支持材部には、前記粘着層を壁状に立てるための支持材用折目が形成されるのが好ましい。例えば前記支持材部には、水平面となる接地部と、前記接地部に対して垂直となる壁部とが設けられており、前記起立部の背面側に貼り付けられる粘着層は、前記壁部の前記接地部に対して外角側となる裏面に設けられている構成とすることができる。また、前記起立部には、複数の起立用折目が設けられていてもよい。
【００１０】
さらに、前記支持材部には、前記台紙領域の平面部の下に配置させる接地片部と、前記接地片部に対して垂直となる側壁部と、前記側壁部の側縁から前記起立部の背面側に延出される粘着片部とが設けられており、前記起立部の背面側に貼り付けられる粘着層は前記粘着片部に設けられている構成とすることもできる。そして、前記粘着領域には、前記支持材部に隣接してシール部を設けることができる。
【００１１】
また、本発明の別のペーパークラフト付き印刷物は、ペーパークラフトと取り外した前記ペーパークラフトを飾る台紙とが一体になったペーパークラフト付き印刷物であって、少なくとも前記ペーパークラフト及び前記台紙となる印刷が施された紙本体と、前記紙本体の一部の領域に切り離し可能に前記ペーパークラフトの型紙が形成されるペーパークラフト領域と、前記ペーパークラフト領域を除く前記紙本体に形成される台紙領域と、前記台紙領域の一部に形成される起立用折目によって切り離されることなく起立可能となる起立部と、前記台紙領域の一部に切り離されることなく起立可能に形成されるとともに前記起立部に接続可能な起立保持部とを備えたことを特徴とする。
【発明の効果】
【００１２】
このように構成された本発明のペーパークラフト付き印刷物は、ペーパークラフト及び台紙となる印刷がされた紙本体に、ペーパークラフト領域及び台紙領域が形成される。
【００１３】
また、紙本体の一部に設けられた粘着領域には、台紙領域の起立部の背面側に粘着層を貼り付ける支持材部が、切り離し可能に設けられている。このため、台紙に設けられる起立部を、この支持材部によって簡単かつ安定して起立させておくことができる。
【００１４】
さらに、支持材部の粘着層を壁状に立てるための支持材用折目が形成されていれば、支持材用折目を折り曲げて起立部に貼り付けるだけで、簡単に起立部を起立させ続けることができる。
【００１５】
また、起立部に複数の起立用折目が設けられて階段状に形成される場合であっても、支持材部に背面側を支持させることによって、確実に起立状態を持続させることができる。
【００１６】
さらに、支持材部に隣接して粘着領域にシール部を設ける場合は、簡単にシール部が製作できるだけでなく、台紙やペーパークラフトにシール部を貼り付けて楽しむことができる。
【００１７】
一方、台紙領域の一部に切り離されることなく起立可能に形成される起立保持部を起立部に接続させることによっても、台紙に設けられる起立部を簡単かつ安定して起立させておくことができる。
【図面の簡単な説明】
【００１８】
【図１】本実施の形態のペーパークラフトシートの利用例を説明する斜視図である。
【図２】本実施の形態のペーパークラフトシートの構成を説明する平面図である。
【図３】本実施の形態のペーパークラフトシートの構成を説明する斜視図である。
【図４】実施例１のペーパークラフトシートの構成を説明する平面図である。
【図５】実施例１のペーパークラフトシートの利用例を説明する斜視図である。
【図６】実施例２のペーパークラフトシートの利用例を説明する斜視図である。
【図７】実施例２の起立保持部の構成を説明するための拡大図である。
【図８】実施例３のペーパークラフトシートの構成を説明する平面図である。
【図９】ペーパークラフト領域側の構成を説明する平面図である。
【図１０】支持材部の取り付け方法を説明する斜視図である。
【図１１】実施例３のペーパークラフトシートの利用例を説明する斜視図である。
【発明を実施するための形態】
【００１９】
以下、本発明の実施の形態のペーパークラフト付き印刷物としてのペーパークラフトシート１について図面を参照して説明する。図１−３は、本実施の形態のペーパークラフトシート１の構成及び利用方法を説明する説明図である。
【００２０】
このペーパークラフトシート１は、両面に印刷が施された紙本体２と、紙本体２の一部に形成されるペーパークラフト領域３と、ペーパークラフト領域３を除く紙本体２の一部に形成される台紙領域４と、ペーパークラフト領域３及び台紙領域４を除く紙本体２に形成される粘着領域５とを主に備えている。
【００２１】
この長方形に形成される紙本体２には、図２に示すように、表面となる第１面２１にペーパークラフト領域３としての図や文字情報などの印刷が施される。また、図３に示すように、紙本体２を折り重ねた際に内面となる第２面２２にも、台紙領域４及びペーパークラフト領域３としての図や文字情報などの印刷が施される。
【００２２】
ペーパークラフト領域３には、図２に示すように紙本体２の第１面２１側に、列車模型３１の型紙となる列車の外観が印刷される。他方、図３に示すように紙本体２の第２面２２側のペーパークラフト領域３には、列車模型３１の型紙となる列車の内部（図示省略）が印刷される。
【００２３】
また、列車模型３１の型紙の外廓には、切取線３２が形成される。この切取線３２は、例えば点状にアンカット部を残して切り込む構成とすることができる。また、ミシン目状の切り込みであってもよい。
【００２４】
一方、図３に示すように、列車模型３１の型紙の糊代部には、粘着層３３が設けられる。ペーパークラフトシート１を閉じた状態（折り重ねた状態）のときには、列車模型３１の型紙は対峙する台紙領域４に粘着層３３によって貼り付いている。このため、切取線３２として、全周を切り込んでおいてもよい。
【００２５】
この粘着層３３は、紙本体２の第２面２２に、例えばシール用の粘着剤を塗布することによって形成される。粘着剤には、例えばアクリル系粘着剤などの不溶性の糊が使用できる。
【００２６】
一方、図２に示すように、ペーパークラフト領域３の下側には、粘着領域５が設けられる。この粘着領域５には、支持材部５１及びシール部６が隣接して設けられる。
【００２７】
支持材部５１には、必要に応じて支持材部５１の使用方法や列車模型３１の組み立て方法などを説明する図や文字情報などの印刷が施される。また、支持材部５１に隣接するシール部６の図や文字情報などの印刷も、紙本体２の両面又は片面に施される。
【００２８】
この粘着領域５は、切取線５５，５５Ａによってペーパークラフト領域３及び台紙領域４から切り離すことができる。この切取線５５，５５Ａは、ミシン目などとすることができる。
【００２９】
また、支持材部５１とシール部６が設けられる領域とは、切取線６３，６３Ａによって切り離すことができる。この切取線６３，６３Ａも、ミシン目などとすることができる。
【００３０】
長方形状の支持材部５１は、支持材用折目５３を境に壁部５２とその下部となる接地部５４とに区画される。すなわち支持材部５１には、本体を長手方向に横断する支持材用折目５３が設けられる。
【００３１】
この支持材用折目５３は、ミシン目などで折れやすくしたものであっても、折る位置を線で示したものであってもいずれでもよい。そして、図３に示すように、壁部５２の一面には、粘着剤が塗布されて粘着層５２１が形成される。
【００３２】
この粘着層５２１に塗布される粘着剤にも、アクリル系粘着剤などのシール用の糊が使用できる。一方、シール部６の裏面にも、粘着剤が塗布された粘着層６１が形成される。また、シール部６の外廓は、切取線６ａによって切り抜かれている。
【００３３】
続いて台紙領域４について説明する。この台紙領域４には、平面部４１と、平面部４１から切り離されることなく起立可能となる起立部４２とが設けられる。
【００３４】
この起立部４２は、複数の起立用折目４２１，４２２及び山折目４２３によって、台紙領域４から切り離されることなく起立させることができる。この起立用折目４２１，４２２及び山折目４２３は、ミシン目などで折れやすくしたものであっても、折る位置を線で示したものであってもいずれでもよい。
【００３５】
起立用折目４２１で略直角に谷折りに折り曲げて、山折目４２３で略直角に山折りに折り曲げて、さらに起立用折目４２２で略直角に谷折りに折り曲げると、図１に示すような階段状のプラットホームが、起立部４２として形成される。
【００３６】
列車模型３１の粘着層３３，・・・が貼り付けられる台紙領域４には、コーティング剤が塗布される。また、図３に示すように、粘着領域５の下層となる台紙領域４に隣接する領域にも、コーティング剤が塗布されたコーティング層５６，６２が形成される。
【００３７】
このコーティング剤が塗布された面は、剥離面とも呼ばれる。コーティング剤には、例えばシリコーン樹脂を使用することができる。シリコーン樹脂には、溶剤型、無溶剤型、エマルジョン型などがある。例えば、ＵＶシリコーンが使用できる。
【００３８】
上述した粘着層３３，５２１，６１及びコーティング層５６，６２は、印刷後の紙本体２の第２面２２に形成される。なお、台紙領域４の粘着層３３が重ねられない箇所や上縁部などは、コーティング剤が塗布されていなくてもよい。
【００３９】
次に、ペーパークラフトシート１の利用方法について説明する。配布時のペーパークラフトシート１は、紙本体２の中央の折目で谷折りされて本のように閉じられている。図２は、この閉じられた状態の表紙側を示しており、紙本体２の第１面２１に印刷された図や文字情報などが露出している。
【００４０】
ペーパークラフト領域３の列車模型３１の型紙は、点状に残されたアンカット部と粘着層３３の台紙領域４への接着とによって固定されているだけなので、利用者は簡単に取り外すことができる。
【００４１】
取り外された列車模型３１の型紙には、糊代部に予め粘着層３３が設けられているので、型紙を折り線に沿って折り曲げて、粘着層３３を被接着部３４に接着させるだけで、図１に示すような立体的な列車模型３１が完成する。
【００４２】
一方、粘着領域５は、切取線５５，５５Ａに沿ってペーパークラフト領域３及び台紙領域４から切り離しておく。そして、列車模型３１の型紙の外周部分を除去して、台紙領域４を露出させる。
【００４３】
この段階での台紙領域４は、長方形状の平面である。そこで、起立用折目４２１を略直角に折り曲げて起立させる。続いて、山折目４２３を略直角に折り曲げて水平面を形成する。
【００４４】
さらに、２つ目の起立用折目４２２を略直角に折り曲げて起立させる。ここで、起立用折目４２１と山折目４２３との間が、線路とプラットホームとの段差となり、山折目４２３と起立用折目４２２との間がホーム面となる。
【００４５】
そして、垂直に起立させる起立用折目４２２より上方部分は、駅名が書かれた看板などが印刷された背景となる。また、この看板の上から、シール部６を貼り付けて、自分の好みの駅名にすることもできる。
【００４６】
一方、切り離された支持材部５１は、コーティング層５６から剥がされて、支持材用折目５３で折り曲げられて、側面視略Ｌ字状に形成される。水平面となる接地部５４に対して垂直となる壁部５２の裏面には、粘着層５２１が設けられている。すなわち粘着層５２１は、壁部５２の接地部５４に対して外角側となる面に設けられる。
【００４７】
この粘着層５２１を、起立部４２の起立用折目４２２より上方部分の背面側に貼り付ける。この際、支持材部５１の下部である接地部５４が、台紙領域４の平面部４１と同じ高さとなるようにする。
【００４８】
この結果、図１に示すように支持材部５１の接地部５４が接地可能となり、起立部４２を背面側から支持させることができるようになる。
【００４９】
次に、本実施の形態のペーパークラフトシート１の製造方法について説明する。まず、ロール紙から紙本体２を引き出し、両面印刷機によって紙本体２の第１面２１と第２面２２の両面に印刷を行う。すなわち、ペーパークラフト領域３、台紙領域４及びシール部６等とするのに必要な印刷はこの工程ですべて行う。
【００５０】
印刷後にリワインダー装置によって巻き取られた紙本体２をオフライン加工機にセットし、再び引き出された印刷済みの紙本体２に対して、第２面２２の所定の範囲にＵＶシリコーンを塗布してコーティング層５６，６２等を形成する。
【００５１】
そして、コーティング剤をＵＶ硬化させた後に、所定の範囲に粘着剤を塗布して、粘着層３３，５２１，６１等を形成する。また、紙本体２の所定の箇所をダイカッタで切り抜いて、切取線３２，５５，５５Ａ，６ａ，６３，６３Ａを設ける。
【００５２】
また、起立用折目４２１，４２２、山折目４２３、支持材用折目５３などとなる箇所には、ミシン目を入れる。さらに、紙本体２を中央で折り曲げてペーパークラフト領域３と台紙領域４とが対峙された状態にする。ここまでは、印刷、ペーパークラフト領域３、台紙領域４及び粘着領域５の形成、裁断に至るまで一貫した工程で行うことができる。
【００５３】
次に、本実施の形態のペーパークラフトシート１の作用について説明する。
【００５４】
このように構成された本実施の形態のペーパークラフトシート１は、列車模型３１及び台紙となる印刷がされた紙本体２に、ペーパークラフト領域３及び台紙領域４が形成される。
【００５５】
また、紙本体２の一部に設けられた粘着領域５には、台紙領域４の起立部４２の背面側に粘着層５２１を貼り付ける支持材部５１が、切り離し可能に設けられている。
【００５６】
このため、台紙に設けられる起立部４２を、この支持材部５１によって簡単かつ安定して起立させておくことができる。すなわち、起立部４２の背面に支持材部５１の上部が貼り付けられることで、起立部４２は、背面側だけでなく平面部４１側にも倒れにくくなって、真っ直ぐに起立した状態を保つことができるようになる。
【００５７】
特に、複数の起立用折目４２１，４２２が設けられた階段状の起立部４２が形成される場合は、起立の起点となる平面部４１との境界（起立用折目４２１）からの張出し量が大きくなって、モーメントの作用により背面側に転倒しやすくなる。これに対して、張り出された起立用折目４２２より上方部分を支持材部５１によって支持させることで、確実に起立状態を持続させることができるようになる。
【００５８】
また、支持材部５１の粘着層５２１を壁状に立てるための支持材用折目５３が形成されていれば、支持材用折目５３を折り曲げて側面視Ｌ字状にして、起立部４２の背面に貼り付けるだけで、簡単に起立部４２を起立させ続けることができる。
【００５９】
さらに、支持材部５１に隣接した粘着領域５であれば、簡単にシール部６が製作できる。すなわち、支持材部５１とシール部６は、紙本体２を重ねる部分に粘着剤とコーティング剤とを塗布することで同様に設けることができる。
【００６０】
このため、支持材部５１を製作するのと同じ工程でシール部６も製作することができる。そして、ペーパークラフトシート１にシール部６が一体に設けられていれば、台紙領域４や列車模型３１にシール部６を貼り付けて楽しむことができる。
【００６１】
そして、紙本体２を両面印刷するのであれば、広告等の情報や子供を楽しませる絵などの多くのデータを印刷することができる。また、列車模型３１の内外や台紙領域４の平面部４１及び起立部４２に図や情報が印刷されていれば、列車模型３１を組み立てる楽しみだけでなく、台紙領域４に飾るなどして長く楽しむことができる。
【実施例１】
【００６２】
次に、前記実施の形態で説明したペーパークラフトシート１とは別の形態のペーパークラフト付き印刷物としてのペーパークラフトシート７１について、図４，５を参照しながら説明する。なお、前記実施の形態で説明した内容と同一乃至均等な部分の説明については、同一用語や同一符号を付して説明する。
【００６３】
前記実施の形態では、起立部４２に複数の起立用折目４２１，４２２が設けられる場合について説明したが、実施例１では、起立用折目７４３が１箇所のみの起立部７４２について説明する。
【００６４】
このペーパークラフトシート７１は、両面に印刷が施された紙本体７２と、紙本体７２の一部に形成されるペーパークラフト領域７３と、ペーパークラフト領域７３を除く紙本体２の一部に形成される台紙領域７４と、ペーパークラフト領域７３及び台紙領域７４を除く紙本体７２に形成される粘着領域７５とを主に備えている。
【００６５】
ペーパークラフト領域７３には、図４に示すようにトラック模型７３１の型紙とレーシングカー模型７３２の型紙となる印刷が施される。また、トラック模型７３１及びレーシングカー模型７３２の型紙の外廓には、切取線が形成される。
【００６６】
このトラック模型７３１は、荷台扉７３１ａが開閉可能となっており、図５に示すように内部にレーシングカー模型７３２を収容できる構成となっている。また、トラック模型７３１の側面７３１ｂには、ミシン目の切取線７６１に沿って切り取られたカレンダー部７６を挿し込むことができるように、切目７３１ｃ，７３１ｃが設けられている。
【００６７】
一方、図４に示すように、ペーパークラフト領域７３の下側には、粘着領域７５が設けられる。この粘着領域７５には、支持材部７５１が設けられる。長方形状の支持材部７５１は、支持材用折目７５３を境に壁部７５２とその下部となる接地部７５４とに区画される。すなわち支持材部７５１には、本体を長手方向に横断する支持材用折目７５３が設けられる。
【００６８】
そして、壁部７５２の一面には、粘着剤が塗布されて粘着層７５２ａが形成される。この粘着層７５２ａに塗布される粘着剤には、アクリル系粘着剤などのシール用の糊が使用できる。
【００６９】
この粘着層７５２ａを重ねる面には、コーティング層７５６が形成される。この粘着領域７５は、切取線７５５によってペーパークラフト領域７３から切り離すことができる。この切取線７５５は、ミシン目などとすることができる。
【００７０】
続いて台紙領域７４について説明する。この台紙領域７４には、平面部７４１と、平面部７４１から切り離されることなく起立可能となる起立部７４２とが設けられる。
【００７１】
この起立部７４２は、起立用折目７４３によって、台紙領域７４から切り離されることなく起立させることができる。この起立用折目７４３は、ミシン目などで折れやすくしたものであっても、折る位置を線で示したものであってもいずれでもよい。
【００７２】
起立用折目７４３で谷折りに折り曲げると、図５に示すような衝立状の背景が起立部７４２として形成される。一方、切り離された支持材部７５１は、支持材用折目７５３で折り曲げて、側面視略Ｌ字状にする。
【００７３】
水平にする接地部７５４に対して立ち上げられる壁部７５２の裏面には、粘着層７５２ａが設けられている。この粘着層７５２ａを、起立部７４２の背面側に貼り付ける。この際、支持材部７５１の下部である接地部７５４が、台紙領域７４の平面部７４１と同じ高さとなるようにする。
【００７４】
この結果、支持材部７５１の接地部７５４が接地可能となり、起立部７４２を背面側から支持させることができるようになる。また、起立部７４２を斜めに起立させる場合でも、起立部７４２と支持材部７５１とが重ねられていることで一枚の場合よりも形状保持能力が高く、所望する角度で起立させ続けることができる。
【００７５】
なお、他の構成及び作用効果については、前記実施の形態又は他の実施例と略同様であるので説明を省略する。
【実施例２】
【００７６】
次に、前記実施の形態及び実施例１で説明したペーパークラフトシート１，７１とは別の形態のペーパークラフト付き印刷物としてのペーパークラフトシート８１について、図６，７を参照しながら説明する。なお、前記実施の形態又は実施例１で説明した内容と同一乃至均等な部分の説明については、同一用語や同一符号を付して説明する。
【００７７】
前記実施の形態及び実施例１では、粘着領域５，７５に設けられる支持材部５１，７５１によって起立部４２，７４２を安定させる場合について説明したが、実施例２では、起立保持部８５によって起立部８４２の起立を維持させる構成について説明する。
【００７８】
このペーパークラフトシート８１は、支持材部５１が起立保持部８５に置き換わる以外は、ほぼ同じ構成となる。すなわちペーパークラフトシート８１は、両面に印刷が施された紙本体８２と、紙本体８２の一部に形成されるペーパークラフト領域８３と、ペーパークラフト領域８３を除く紙本体８２に形成される台紙領域８４と、起立部８４２に接続可能な起立保持部８５とを主に備えている。
【００７９】
また、台紙領域８４には、図６に示すように、平面部８４１と、平面部８４１から切り離されることなく起立可能となる起立部８４２とが設けられる。この起立部８４２は、起立用折目８４３によって、台紙領域８４から切り離されることなく起立させることができる。
【００８０】
一方、起立保持部８５は、図７に示すように、台紙領域８４の平面部８４１に切り離されることなく起立可能に形成される。詳細には、起立保持部８５と平面部８４１とは、保持材用折目８５１を介して繋がっている。
【００８１】
この保持材用折目８５１は、ミシン目などで折れやすくしたものであっても、折る位置を線で示したものであってもいずれでもよい。一方、短冊状の起立保持部８５が形成されるように、保持材用折目８５１の端から平面部８４１の側縁に向けて、略Ｌ字状の切取線８５２が設けられる。
【００８２】
また、起立保持部８５の端部８５５の保持材用折目８５１側には、切取線８５２に連続する切欠線８５３が切り込まれる。この切欠線８５３は、起立保持部８５の幅の半分程度の長さとなる。
【００８３】
一方、起立保持部８５を起立させた際に端部８５５の切欠線８５３を挿し込む起立部８４２側には、起立部８４２の側縁に連続する切欠線８５４が切り込まれる。この切欠線８５４も、起立保持部８５の幅の半分程度の長さとなる。
【００８４】
次に、本実施例２のペーパークラフトシート８１の利用方法及び作用について説明する。
【００８５】
ペーパークラフトシート８１の起立部８４２は、起立用折目８４３によって、台紙領域８４から切り離されることなく起立させることができる。起立用折目８４３で谷折りに折り曲げると、図６に示すような衝立状の背景が、起立部８４２として形成される。
【００８６】
一方、起立保持部８５は、切取線８５２によって平面部８４１から引き起こし、保持材用折目８５１で谷折りに折り曲げて起立させる。そして、起立保持部８５の端部８５５の切欠線８５３を、起立部８４２の切欠線８５４に挿し込む。
【００８７】
このように台紙領域８４の一部に切り離されることなく起立可能に形成される起立保持部８５の端部８５５を、起立部８４２に挿し込ませて接続させることによって、平面部８４１と起立部８４２との距離が一定に保持された状態になる。
【００８８】
この結果、起立部８４２の前後の移動が拘束されて、倒れにくくなる。すなわちこのような簡単な構成であっても、台紙領域８４に設けられる起立部８４２を安定して起立させておくことができる。
【００８９】
なお、他の構成及び作用効果については、前記実施の形態又は他の実施例と略同様であるので説明を省略する。
【実施例３】
【００９０】
次に、前記実施の形態及び実施例１，２で説明したペーパークラフトシート１，７１，８１とは別の形態のペーパークラフト付き印刷物としてのペーパークラフトシート９１について、図８−図１１を参照しながら説明する。なお、前記実施の形態又は実施例１，２で説明した内容と同一乃至均等な部分の説明については、同一用語や同一符号を付して説明する。
【００９１】
前記実施の形態及び実施例１では、粘着領域５，７５に設けられる支持材部５１，７５１によって起立部４２，７４２を安定させる場合について説明したが、実施例３では、別の形態の支持材部９５１によって起立部９４２の起立を維持させる構成について説明する。
【００９２】
このペーパークラフトシート９１は、両面に印刷が施された紙本体９２と、紙本体９２の一部に形成されるペーパークラフト領域９３と、ペーパークラフト領域９３を除く紙本体９２の一部に形成される台紙領域９４と、ペーパークラフト領域９３及び台紙領域９４を除く紙本体９２に形成される粘着領域９５とを主に備えている。
【００９３】
長方形に形成される紙本体９２には、折り重ねた状態の図８に示すように、表面となる第１面９２１にペーパークラフト領域９３としての図や文字情報などの印刷が施される。また、折り重ねた際の内面となる第２面９２２にも、台紙領域９４としての図や文字情報などの印刷が施される。
【００９４】
ペーパークラフト領域９３には、図８に示すように、鉄道模型９３０（図１１参照）の各パーツとなる本体模型９３１、円筒部９３２、前面部９３３、小パーツ９３４，・・・などの型紙となる印刷が施される。
【００９５】
他方、ペーパークラフト領域９３が設けられた紙本体９２の第１面９２１を、台紙領域９４が設けられた第２面９２２から剥がして裏側から見た図が図９である。
【００９６】
ペーパークラフト領域９３の本体模型９３１、円筒部９３２、前面部９３３、小パーツ９３４の型紙は、点状に残されたアンカット部と粘着面９２１ａの台紙領域９４への接着とによって固定されているだけなので、利用者は簡単に取り外すことができる。
【００９７】
取り外された本体模型９３１、円筒部９３２、前面部９３３、小パーツ９３４の型紙には、糊代部に予め粘着層９３５が設けられているので、型紙を折り線に沿って折り曲げて、粘着層９３５を被接着部９３６（図８参照）に接着させるだけで、図１１に示すような立体的な鉄道模型９３０が完成する。
【００９８】
一方、ペーパークラフト領域９３の領域外（図８，９の左端）には、粘着領域９５が設けられる。この粘着領域９５には、一対の支持材部９５１，９５１が設けられる。
【００９９】
この支持材部９５１は、図１０に示すように、台紙領域９４の平面部９４１の下に配置させる接地片部９５２と、接地片部９５２に対して垂直となる側壁部９５３と、側壁部９５３の側縁から起立部９４２の背面側に延出される粘着片部９５４とに区画される。
【０１００】
すなわち支持材部９５１は、折目９５２ｂを境に接地片部９５２と側壁部９５３とが区画され、折目９５４ｂを境に側壁部９５３と粘着片部９５４とが区画される。
【０１０１】
そして、接地片部９５２及び粘着片部９５４の一面には、それぞれ粘着剤が塗布された粘着層９５２ａ，９５４ａが形成される。この粘着層９５２ａ，９５４ａに塗布される粘着剤には、アクリル系粘着剤などのシール用の糊が使用できる。
【０１０２】
接地片部９５２の粘着層９５２ａは、折目９５２ｂで折り曲げた際に上面となる面に形成される。一方、粘着片部９５４の粘着層９５４ａは、折目９５４ｂで折り曲げた後に、起立部９４２の背面に対向させる面に形成される。
【０１０３】
これらの粘着層９５２ａ，９５４ａを重ねる面には、図８に示すようにコーティング層９５６が形成される。支持材部９５１は、切取線９５５によって粘着領域９５から切り離すことができる。
【０１０４】
続いて台紙領域９４について説明する。この台紙領域９４には、図１０に示すように、平面部９４１と、平面部９４１から切り離されることなく起立可能となる起立部９４２とが設けられる。
【０１０５】
この起立部９４２は、起立用折目９４３によって、台紙領域９４から切り離されることなく起立させることができる。この起立用折目９４３は、ミシン目などで折れやすくしたものであっても、折る位置を線で示したものであってもいずれでもよい。
【０１０６】
起立用折目９４３で谷折りに折り曲げると、衝立状の背景が起立部９４２として形成される。一方、切り離された支持材部９５１は、折目９５２ｂ，９５４ｂで折り曲げて、自立可能な三角片に製作される。
【０１０７】
支持材部９５１の水平にする接地片部９５２の上面、及びそれに対して立ち上げられる側壁部９５３から延出される粘着片部９５４の一面には、粘着層９５２ａ，９５４ａが設けられている。
【０１０８】
そこで、平面部９４１の起立部９４２側の隅角部に接地片部９５２を挿し込むと、粘着層９５２ａが平面部９４１の下面に貼り付けられる。一方、粘着片部９５４の粘着層９５４ａは、起立部９４２の背面側に貼り付けられる。
【０１０９】
このようにして起立部９４２の両側に支持材部９５１，９５１が取り付けられると、平面部９４１と起立部９４２との距離が一定に保持された状態になる。この結果、起立部９４２の前後の移動が拘束されて、倒れにくくなる。すなわち、平面部９４１と起立部９４２とが略垂直の状態で保持されて、起立部９４２を安定して起立させておくことができる。
【０１１０】
なお、他の構成及び作用効果については、前記実施の形態又は他の実施例と略同様であるので説明を省略する。
【０１１１】
以上、図面を参照して、本発明の実施の形態を詳述してきたが、具体的な構成は、この実施の形態及び実施例に限らず、本発明の要旨を逸脱しない程度の設計的変更は、本発明に含まれる。
【０１１２】
例えば、前記実施の形態では、紙本体２の両面（２１，２２）の全面に印刷を施したが、これに限定されるものではなく、印刷を必要とする範囲にのみ印刷することもできる。
【符号の説明】
【０１１３】
１，７１，８１，９１  ペーパークラフトシート（ペーパークラフト付き印刷物）
２，７２，８２，９２  紙本体
３，７３，８３，９３  ペーパークラフト領域
３１            列車模型（ペーパークラフト）
４，７４，８４，９４  台紙領域
４２，７４２，８４２，９４２  起立部
４２１，４２２  起立用折目
７４３，８４３，９４３  起立用折目
５，７５，９５  粘着領域
５１，７５１    支持材部
５２，７５２    壁部
５２１，７５２ａ  粘着層
５３，７５３    支持材用折目
５４，７５４    接地部（下部）
６              シール部
７３１          トラック模型（ペーパークラフト）
７３２          レーシングカー模型（ペーパークラフト）
８５            起立保持部
９３０          鉄道模型（ペーパークラフト）
９５１          支持材部
９５２          接地片部
９５３          側壁部
９５４          粘着片部
９５４ａ        粘着層
【図１】
2016209559.tif 000003
【図２】
2016209559.tif 000004
【図３】
2016209559.tif 000005
【図４】
2016209559.tif 000006
【図５】
2016209559.tif 000007
【図６】
2016209559.tif 000008
【図７】
2016209559.tif 000009
【図８】
2016209559.tif 000010
【図９】
2016209559.tif 000011
【図１０】
2016209559.tif 000012
【図１１】
2016209559.tif 000013